Podtech/llm-jp-corpus-v4-ja_patent huggingface dataset:
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
イソオキサゾリン化合物に曝露された成体ノミを起源とする幼若段階のノミが成体段階に発育することを阻害するための医薬の製造における、下記式（Ｉ）のイソオキサゾリン化合物または該化合物の塩もしくは溶媒和物の使用。
【化１】
2016539960.tif 000001
［式中、
Ｒ１＝ハロゲン、ＣＦ３、ＯＣＦ３、ＣＮであり、
ｎ＝０から３の整数、好ましくは１、２または３であり、
Ｒ２＝Ｃ１−Ｃ３−ハロアルキル、好ましくはＣＦ３またはＣＦ２Ｃｌであり、
Ｔ＝１以上の基Ｙによって置換されていても良い５員もしくは６員環であり、
Ｙ＝メチル、ハロメチル、ハロゲン、ＣＮ、ＮＯ２、ＮＨ２−Ｃ＝Ｓであり、または２個の隣接する基Ｙが一緒になって、鎖、特に３または４員鎖を形成しており；
Ｑ＝Ｘ−ＮＲ３Ｒ４または５員Ｎ−ヘテロアリール環であり、それは１以上の基によって置換されていても良く；
Ｘ＝ＣＨ２、ＣＨ（ＣＨ３）、ＣＨ（ＣＮ）、ＣＯ、ＣＳであり、
Ｒ３＝水素、メチル、ハロエチル、ハロプロピル、ハロブチル、メトキシメチル、メトキシエチル、ハロメトキシメチル、エトキシメチル、ハロエトキシメチル、プロポキシメチル、エチルアミノカルボニルメチル、エチルアミノカルボニルエチル、ジメトキシエチル、プロピニルアミノカルボニルメチル、Ｎ−フェニル−Ｎ−メチル−アミノ、ハロエチルアミノカルボニルメチル、ハロエチルアミノカルボニルエチル、テトラヒドロフリル、メチルアミノカルボニルメチル、（Ｎ，Ｎ−ジメチルアミノ）−カルボニルメチル、プロピルアミノカルボニルメチル、シクロプロピルアミノカルボニルメチル、プロペニルアミノカルボニルメチル、ハロエチルアミノカルボニルシクロプロピル、
【化２】
2016539960.tif 000002
2016539960.tif 000003
であり；
ＺＡ＝水素、ハロゲン、シアノ、ハロメチル（ＣＦ３）であり；
Ｒ４＝水素、エチル、メトキシメチル、ハロメトキシメチル、エトキシメチル、ハロエトキシメチル、プロポキシメチル、メチルカルボニル、エチルカルボニル、プロピルカルボニル、シクロプロピルカルボニル、メトキシカルボニル、メトキシメチルカルボニル、アミノカルボニル、エチルアミノカルボニルメチル、エチルアミノカルボニルエチル、ジメトキシエチル、プロピニルアミノカルボニルメチル、ハロエチルアミノカルボニルメチル、シアノメチルアミノカルボニルメチル、またはハロエチルアミノカルボニルエチルであり；
または、Ｒ３およびＲ４が一緒に、
【化３】
2016539960.tif 000004
からなる群から選択される置換基を形成している。］
【請求項２】
Ｔは、
2016539960.tif 000005
2016539960.tif 000006
2016539960.tif 000007
から選択され、
Ｔ−１、Ｔ−３およびＴ−４において、基Ｙは水素、ハロゲン、メチル、ハロメチル、エチル、ハロエチルである、
請求項１に記載の使用。
【請求項３】
Ｑは、
2016539960.tif 000008
2016539960.tif 000009
から選択され、
Ｒ３、Ｒ４、ＸおよびＺＡは上記で定義の通りであり、
ＺＢ＝
2016539960.tif 000010
であり、
ＺＤ＝
2016539960.tif 000011
2016539960.tif 000012
である、
請求項１または２に記載の使用。
【請求項４】
前記イソオキサゾリン化合物が、下記式（ＩＩ）を有する、請求項１に記載の使用。
2016539960.tif 000013
［式中、
Ｒ１ａ、Ｒ１ｂ、Ｒ１ｃは互いから独立に、水素、ＣｌまたはＣＦ３であり、好ましくはＲ１ａおよびＲ１ｃはＣｌまたはＣＦ３であり、Ｒ１ｂは水素であり、
Ｔは
2016539960.tif 000014
であり；
Ｙはメチル、臭素、Ｃｌ、Ｆ、ＣＮまたはＣ（Ｓ）ＮＨ２である。］
【請求項５】
環境での幼若段階のノミの成体ノミへの発育が、動物への治療量以下の量の前記イソオキサゾリン化合物の全身投与によって阻害される、請求項１〜４のいずれか１項に記載の使用。
【請求項６】
動物の再侵襲が、動物への治療量以下の量の前記イソオキサゾリン化合物の全身投与によって阻害される、請求項１〜４のいずれか１項に記載の使用。
【請求項７】
当該化合物がフルララネルである請求項１〜６のいずれか１項に記載の使用。
【請求項８】
当該化合物がアフォキソレイナーである請求項１〜６のいずれか１項に記載の使用。
【請求項９】
動物の血漿が１．５から２５ｎｇ／ｍＬのイソオキサゾリン化合物濃度を含む、請求項１〜５のいずれか１項に記載の使用。
【請求項１０】
請求項１〜４で定義のイソオキサゾリン化合物を、幼若段階のノミに曝露された動物に投与する、請求項１〜６のいずれか１項に記載の使用。
【請求項１１】
前記動物がイヌまたはネコである、請求項１〜７のいずれか１項に記載の使用。
【請求項１２】
前記全身投与が経口投与である、請求項１〜１１のいずれか１項に記載の使用。
【請求項１３】
前記全身投与が局所投与である、請求項１〜１１のいずれか１項に記載の使用。
【請求項１４】
前記全身投与が非経口投与である、請求項１〜１１のいずれか１項に記載の使用。
【請求項１５】
前記投与によってアレルギー性ノミ皮膚炎の徴候が低減される、請求項１〜１４のいずれか１項に記載の使用。
【請求項１６】
ノミによる動物の再侵襲を予防するための請求項１で定義のイソオキサゾリン化合物を含む医薬組成物であって、ノミ侵襲された動物に当該ノミの子孫の成虫段階への発育を阻害するのに十分な容量の請求項１で定義のイソオキサゾリン化合物を投与する、医薬組成物。
【請求項１７】
前記イソオキサゾリン化合物がフルララネルである、請求項１６に記載の医薬組成物。
【請求項１８】
前記イソオキサゾリン化合物がアフォキソレイナーである請求項１６に記載の医薬組成物。
【請求項１９】
前記イソオキサゾリン化合物の用量が１．５から２５ｎｇ／ｍＬの血漿濃度に到達するのに十分である、請求項１６〜１８のいずれか１項に記載の医薬組成物。
【請求項２０】
動物環境での幼若段階のノミの発育を防止するための、請求項１で定義のイソオキサゾリン化合物を含む医薬組成物であって、ノミ侵襲された動物に請求項１で定義のイソオキサゾリン化合物に曝露されたノミを起源とする幼若段階のノミの成虫段階への発育を阻害するのに十分な用量の当該イソオキサゾリン化合物を投与する、医薬組成物。
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
インプラント周囲炎の治療および／または予防用の薬剤の製造のための、パーツキットの使用であって、ここでパーツキットは、
ａ）アラニン、アルギニン、アスパラギン、アスパラギン酸、グルタミン酸、グルタミン、イソロイシン、ロイシン、リジンおよび／またはバリンからなる群から選択される１種以上のアミノ酸を含む第一水性成分、ならびに
ｂ）Ｃｌ2、次亜塩素酸塩、亜塩素酸塩、塩素酸塩、過塩素酸塩および／または次亜塩素酸化合物からなる群から選択される活性塩素化合物を含む第二水性成分、を含み、
ここで、第一水性成分および／または第二水性成分は、９〜１１．５のｐＨ値を有する、
上記使用。
【請求項２】
第一水性成分および第二水性成分は、１０から１１．５のｐＨを有する、請求項１に記載の使用。
【請求項３】
第一水性成分と第二水性成分とを室温で、１気圧で、混合して得られる治療製剤は、混合された後３０秒以内に９から１１．５のｐＨを有する、請求項１または２に記載の使用。
【請求項４】
薬剤は、インプラント周囲炎の治療用である、請求項１〜３のいずれか１項に記載の使用。
【請求項５】
インプラント周囲炎の治療は、インプラント周囲炎の外科的治療を含む、または、からなる、請求項４に記載の使用。
【請求項６】
薬剤は、インプラント周囲炎の予防用である、請求項１〜３のいずれか１項に記載の使用。
【請求項７】
インプラント周囲炎の予防は、口腔粘膜炎の治療を含む、または、からなる、請求項６に記載の使用。
【請求項８】
第二水性成分中の活性塩素化合物の量は、０.５〜５、０.５〜３、または１〜２重量％である、請求項１〜７のいずれか１項に記載の使用。
【請求項９】
１種以上のアミノ酸は、グルタミン酸、ロイシンおよびリジンを含む、または、からなる、請求項１〜８のいずれか１項に記載の使用。
【請求項１０】
第一水性成分は、１種以上のアミノ酸を０．１〜１重量％含む、請求項１〜９のいずれか１項に記載の使用。
【請求項１１】
第一水性成分は、さらにゲル状物質を含む、請求項１〜１０のいずれか１項に記載の使用。
【請求項１２】
ゲル状物質は、ポリエチレングリコール（ＰＥＧ）および／もしくはカルボキシメチルセルロースおよび／もしくは多糖類物質、または、カルボキシメチルセルロースナトリウム（Ｎａ−ＣＭＣ）のようなその塩、を含む、または、である、請求項１１に記載の使用。
【請求項１３】
第一水性成分は、ゲル状物質を２〜４重量％含む、請求項１１または１２に記載の使用。
【請求項１４】
パーツキットは、
ａ）グルタミン酸、ロイシンおよびリジンを０．１〜１重量％、およびカルボキシメチルセルロースナトリウムを２〜４重量％含む、第一水性成分、ならびに
ｂ）次亜塩素酸ナトリウムを１〜２重量％含む、第二水性成分、を含む、
請求項１〜１３のいずれか１項に記載の使用。
【請求項１５】
第一水性成分は、さらにＴｉＯ2および／またはＮａＣｌを含む、請求項１〜１４のいずれか１項に記載の使用。
【請求項１６】
パーツキットは、さらに、下記式（Ｉ）：
ＲＮＨＮＨ2  （Ｉ）
（ここで、Ｒは、発色基を含むかまたはＮＨＮＨ2とともに発色基を形成する化学基である）
のヒドラジン誘導体化合物である１以上の化合物を含む、
請求項１〜１５のいずれか１項に記載の使用。
【請求項１７】
インプラント周囲炎の治療および／または予防の薬剤の製造のための、治療製剤の使用であって、ここで治療製剤は、
ａ）アラニン、アルギニン、アスパラギン、アスパラギン酸、グルタミン酸、グルタミン、イソロイシン、ロイシン、リジンおよび／またはバリンからなる群から選択される１種以上のアミノ酸を含む第一水性成分、ならびに
ｂ）Ｃｌ2、次亜塩素酸塩、亜塩素酸塩、塩素酸塩、過塩素酸塩および／または次亜塩素酸化合物からなる群から選択される活性塩素化合物を含む第二水性成分、
を混合することにより得られ、
ここで、第一水性成分および／または第二水性成分は、９〜１１．５のｐＨ値を有する、
上記使用。
【請求項１８】
第一水性成分および第二水性成分は、１０から１１．５のｐＨを有する、請求項１７に
記載の使用。
【請求項１９】
第一水性成分と第二水性成分とを室温で、１気圧で、混合して得られる治療製剤は、混合された後３０秒以内に９から１１．５のｐＨを有する、請求項１７または１８に記載の使用。
【請求項２０】
薬剤は、インプラント周囲炎の治療用である、請求項１７〜１９のいずれか１項に記載の使用。
【請求項２１】
インプラント周囲炎の治療は、インプラント周囲炎の外科的治療である、請求項２０に記載の使用。
【請求項２２】
薬剤は、インプラント周囲炎の予防用である、請求項１７〜１９のいずれか１項に記載の使用。
【請求項２３】
インプラント周囲炎の予防は、口腔粘膜炎の治療を含む、または、からなる、請求項２２に記載の使用。
【請求項２４】
第一水性成分および第二水性成分は、体積比１：２〜２：１で、好ましくは体積比１：１で混合される、請求項１７〜２３のいずれか１項に記載の使用。
【請求項２５】
第二水性成分中の活性塩素化合物の量は、０.５〜５、０.５〜３、または１〜２重量％である、請求項１７〜２４のいずれか１項に記載の使用。
【請求項２６】
１種以上のアミノ酸は、グルタミン酸、ロイシンおよびリジンを含む、または、からなる、請求項１７〜２４のいずれか１項に記載の使用。
【請求項２７】
第一水性成分は、１種以上のアミノ酸を０．１〜１重量％含む、請求項１７〜２６のいずれか１項に記載の使用。
【請求項２８】
第一水性成分は、さらにゲル状物質を含む、請求項１７〜２７のいずれか１項に記載の使用。
【請求項２９】
ゲル状物質は、ポリエチレングリコール（ＰＥＧ）および／もしくはカルボキシメチルセルロースおよび／もしくは多糖類物質、または、カルボキシメチルセルロースナトリウム（Ｎａ−ＣＭＣ）のようなその塩、を含む、または、である、請求項２８に記載の使用。
【請求項３０】
第一水性成分は、ゲル状物質を２〜４重量％含む、請求項１７〜２９のいずれか１項に記載の使用。
【請求項３１】
治療製剤は、
ａ）グルタミン酸、ロイシンおよびリジンを０．１〜１重量％、およびカルボキシメチルセルロースナトリウムを２〜４重量％含む、第一水性成分、ならびに
ｂ）次亜塩素酸ナトリウムを１〜２重量％含む、第二水性成分、
を混合することにより得られる、請求項１７〜３０のいずれか１項に記載の使用。
【請求項３２】
第一水性成分は、さらにＴｉＯ2および／またはＮａＣｌを含む、請求項１７〜３１のいずれか１項に記載の使用。
【請求項３３】
治療製剤は、下記式（Ｉ）：
ＲＮＨＮＨ2  （Ｉ）
（ここで、Ｒは、発色基を含むかまたはＮＨＮＨ2とともに発色基を形成する化学基である）
のヒドラジン誘導体化合物と混合される、
請求項１７〜３２のいずれか１項に記載の使用。
【誤訳訂正書】
【提出日】平成29年12月13日(2017.12.13)
【誤訳訂正１】
【訂正対象書類名】明細書
【訂正対象項目名】００２６
【訂正方法】変更
【訂正の内容】
【００２６】
従って、上記ペプチドは特に有利には遊離のＣ末端においてアミド化されている。これにより、特に有利には、さらなる課題が解決され、その結果、ペプチドが過剰な負の電荷を持たずに存在し、それは標的分子により密接に結合することができ、簡単な方法で入手できる。
本発明のさらなる実施態様において、以下のさらなる基がカルボキシル基の部位に存在する：ＣＯＨ、ＣＯＣｌ、ＣＯＢｒ、ＣＯＮＨ−アルキル残基、ＣＯＮＨ−アルキル−アミン残基（正の正味電荷）等（ただし、主請求項の技術的主題に従う限り、これらに限定はされない）。
【誤訳訂正２】
【訂正対象書類名】明細書
【訂正対象項目名】００７３
【訂正方法】変更
【訂正の内容】
【００７３】
更なる変法において、本発明のペプチドは、アミロイドβ−オリゴマーのフィブリル形成の阻害のためのものである。本発明のペプチドは、Ａβ−オリゴマー又はそこから形成されるポリマー並びにフィブリルを、それらに結合し、そうして毒性でない化合物に変換することで、解毒化する。相応して、本発明の対象はまた、Ａβ−オリゴマー、そこから形成されるポリマー又はフィブリルの解毒化のための方法である。
【誤訳訂正３】
【訂正対象書類名】特許請求の範囲
【訂正対象項目名】請求項１３
【訂正方法】変更
【訂正の内容】
【請求項１３】
同一のアミノ酸配列を有するペプチドよりも高いアミロイドβ種への結合親和性を有し、通常遊離のＣ末端に存在するカルボキシル基の負の電荷が修飾によらずに除去されたことを特徴とする、請求項１〜１２のいずれか１つに記載のペプチド。
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
式Ｉ：
【化１】
2016539983.tif 000001
（式中、
Ａ１は
【化２】
2016539983.tif 000002
であり；
Ａ２は、ハロゲン、Ｃ１〜Ｃ６アルキル、及びＣ１〜Ｃ３ハロアルキルからなる群から独立に選択される１、２、又は３つの置換基により置換されているフェニルであり；
Ｒ１は、各出現で独立に、クロロ、フルオロ、Ｃ１〜Ｃ６アルコキシ、トリフルオロメチル、又はシアノを表し；
Ｒ２は、水素、クロロ、フルオロ、Ｃ１〜Ｃ６アルコキシ、又はトリフルオロメチルであり；
Ｒ３は、Ｃ１〜Ｃ６アルキル、Ｃ３〜Ｃ６シクロアルキル、又は−（Ｃ１〜Ｃ６アルキレン）−（Ｃ３〜Ｃ６シクロアルキル）であり；
Ｒ４は、Ｃ１〜Ｃ３ハロアルキルであり；
Ｒ５は、水素、Ｃ１〜Ｃ６アルキル、又はＣ３〜Ｃ６シクロアルキルであり；且つ
ｎは、１又は２である）
により表される化合物（全ての立体異性体、幾何異性体、及び互変異性体を含む）；又はその薬学的に許容できる塩若しくは溶媒和物。
【請求項２】
式Ｉにより表される化合物、又はその立体異性体、幾何異性体若しくは互変異性体；あるいはその薬学的に許容できる塩である、請求項１に記載の化合物。
【請求項３】
ｎが１である、請求項１又は２に記載の化合物。
【請求項４】
（ａ）Ｒ１がフルオロであり；
（ｂ）Ｒ１がメタ−フルオロであり；あるいは
（ｃ）Ｒ１がクロロである、
請求項１〜３のいずれか一項に記載の化合物。
【請求項５】
（ａ）Ｒ２が水素であり；
（ｂ）Ｒ２がクロロであり；あるいは
（ｃ）Ｒ２がフルオロである、
請求項１〜４のいずれか一項に記載の化合物。
【請求項６】
Ｒ３がＣ１〜Ｃ６アルキルである、請求項１〜５のいずれか一項に記載の化合物。
【請求項７】
Ｒ４がトリフルオロメチルである、請求項１〜６のいずれか一項に記載の化合物。
【請求項８】
Ｒ５が水素である、請求項１〜７のいずれか一項に記載の化合物。
【請求項９】
Ｒ５がＣ１〜Ｃ６アルキルである、請求項１〜７のいずれか一項に記載の化合物。
【請求項１０】
Ｒ５がＣ３〜Ｃ６シクロアルキルである、請求項１〜７のいずれか一項に記載の化合物。
【請求項１１】
Ａ１が
【化３】
2016539983.tif 000003
である、請求項１〜１０のいずれか一項に記載の化合物。
【請求項１２】
Ａ２が、クロロ、フルオロ、及びＣ１〜Ｃ３ハロアルキルからなる群から独立に選択される１、２、又は３つの置換基により置換されているフェニルである、請求項１〜１１のいずれか一項に記載の化合物。
【請求項１３】
Ａ２が３−クロロ−５−フルオロフェニルである、請求項１〜１１のいずれか一項に記載の化合物。
【請求項１４】
式Ｉ−Ａ：
【化４】
2016539983.tif 000004
（式中、
Ｒ１は、クロロ又はフルオロであり；
Ｒ２は、水素、クロロ、又はフルオロであり；
Ｒ３は、Ｃ１〜Ｃ６アルキルであり；
Ｒ４は、トリフルオロメチルであり；
Ｒ５は、水素又はＣ１〜Ｃ６アルキルであり；且つ
Ａ２は、クロロ及びフルオロからなる群から独立に選択される１又は２つの置換基により置換されているフェニルである）
により表される化合物（全ての立体異性体、幾何異性体、及び互変異性体を含む）又はその薬学的に許容できる塩である、請求項１に記載の化合物。
【請求項１５】
（ａ）Ｒ１及びＲ２がフルオロであり；あるいは
（ｂ）Ｒ１及びＲ２がクロロである、
請求項１４に記載の化合物。
【請求項１６】
Ｒ１がクロロであり、Ｒ２が水素である、請求項１４に記載の化合物。
【請求項１７】
Ｒ１がメタ−クロロである、請求項１４又は１６に記載の化合物。
【請求項１８】
Ｒ３が、メチル又はエチルである、請求項１４〜１７のいずれか一項に記載の化合物。
【請求項１９】
Ｒ５が水素である、請求項１４〜１８のいずれか一項に記載の化合物。
【請求項２０】
Ｒ５がＣ１〜Ｃ６アルキルである、請求項１４〜１８のいずれか一項に記載の化合物。
【請求項２１】
Ｒ５が、メチル又はエチルである、請求項１４〜１８のいずれか一項に記載の化合物。
【請求項２２】
Ａ２が、３−クロロ−５−フルオロフェニルである、請求項１４〜２１のいずれか一項に記載の化合物。
【請求項２３】
下記表１Ａ、２Ａ、又は４Ａ：
2016539983.tif 000005
2016539983.tif 000006
2016539983.tif 000007
2016539983.tif 000008
2016539983.tif 000009
表２Ａ
2016539983.tif 000010
2016539983.tif 000011
2016539983.tif 000012
2016539983.tif 000013
2016539983.tif 000014
2016539983.tif 000015
2016539983.tif 000016
2016539983.tif 000017
表４Ａ
2016539983.tif 000018
のいずれか１つに列記された化合物又はその薬学的に許容できる塩である、請求項１に記載の化合物。
【請求項２４】
【化５】
2016539983.tif 000019
により表される化合物又はその薬学的に許容できる塩である、請求項１に記載の化合物。
【請求項２５】
請求項１〜２４のいずれか一項に記載の化合物及び薬学的に許容できる担体を含む、医薬組成物。
【請求項２６】
請求項１〜２４のいずれか一項に記載の化合物を含む、免疫疾患、炎症性疾患、心血管疾患、骨髄腫、リンパ腫、癌、及び細菌感染からなる群から選択される疾患を治療するための薬剤。
【請求項２７】
前記疾患が、関節リウマチ、乾癬、慢性移植片対宿主病、急性移植片対宿主病、クローン病、炎症性腸疾患、多発性硬化症、全身性エリテマトーデス、セリアックスプルー、特発性血栓性血小板減少性紫斑病、重症筋無力症、シェーグレン症候群、強皮症、潰瘍性大腸炎、喘息、ブドウ膜炎、又は表皮過形成である、請求項２６に記載の薬剤。
【請求項２８】
請求項１〜２４のいずれか一項に記載の化合物を含む、Ｆ１Ｆ０−ＡＴＰアーゼを阻害するための薬剤。
【請求項２９】
前記化合物が、請求項１４に記載の化合物である、請求項２６〜２８のいずれか一項に記載の薬剤。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
乳酸菌においてタンパク質を発現可能なプラスミドであって、前記タンパク質は、ＣＸＣＬ１２、ＣＸＣＬ１７、およびＹｍ１からなる群から選択される、プラスミド。
【請求項２】
前記プラスミドは、
（ｉ）配列番号３もしくは２に示されるアミノ酸配列またはこれらの配列との配列同一性が少なくとも８０％であるアミノ酸配列を有するネズミＣＸＣＬ１２−１α、
（ｉｉ）配列番号６もしくは５に示されるアミノ酸配列またはこれらの配列との配列同一性が少なくとも８０％であるアミノ酸配列を有するヒトＣＸＣＬ１２−１α、
（ｉｉｉ）配列番号９もしくは８に示されるアミノ酸配列またはこれらの配列との配列同一性が少なくとも８０％であるアミノ酸配列を有するネズミＣＸＣＬ１７、
（ｉｖ）配列番号１２もしくは１１に示されるアミノ酸配列またはこれらの配列との配列同一性が少なくとも８０％であるアミノ酸配列を有するヒトＣＸＣＬ１７、
（ｖ）配列番号１５もしくは１４に示されるアミノ酸配列またはこれらの配列との配列同一性が少なくとも８０％であるアミノ酸配列を有するネズミＹｍ１、及び
（ｖｉ）配列番号１８もしくは１７に示されるアミノ酸配列またはこれらの配列との配列同一性が少なくとも８０％であるアミノ酸配列を有するヒトＹｍ１
から選択されるタンパク質をコードするヌクレオチド配列を含む、請求項１に記載のプラスミド。
【請求項３】
前記プラスミドは、乳酸菌における発現を可能にする１つ以上の調節配列を含み、前記調節配列は、乳酸菌から得られるか、または乳酸菌由来である、請求項１または２に記載のプラスミド。
【請求項４】
前記タンパク質の発現は、調節可能である、請求項１〜３のいずれか１項に記載のプラスミド。
【請求項５】
前記プラスミドは、誘導性プロモーターの制御下に、前記タンパク質のうち１つ以上をコードする１つ以上のヌクレオチド配列を含む、請求項１〜４のいずれか１項に記載のプラスミド。
【請求項６】
前記プラスミドは、乳酸菌のナイシンレギュロン、サカシンＡレギュロン、またはサカシンＰレギュロン由来の誘導性プロモーターおよび調節因子を含む、請求項１〜５のいずれか１項に記載のプラスミド。
【請求項７】
前記誘導性プロモーターは、前記サカシンＰレギュロン由来のＰｏｒｆＸプロモーターである、請求項５または６に記載のプラスミド。
【請求項８】
ｐＳＩＰ４１１と呼ばれるプラスミド由来である、請求項１に記載のプラスミド。
【請求項９】
前記タンパク質をコードする前記ヌクレオチド配列は、乳酸菌における発現のためにコドン最適化されている、請求項１〜８のいずれか１項に記載の組み替えプラスミド。
【請求項１０】
配列番号１、配列番号４、配列番号７、配列番号１０、配列番号１３、および配列番号１６の配列を含むヌクレオチド配列、または前記配列との配列同一性が少なくとも８０％であるヌクレオチド配列を有する群から選択される１つ以上のヌクレオチド配列を含む、請求項１〜９のいずれか１項に記載のプラスミド。
【請求項１１】
請求項１〜１０のいずれか１項に記載のプラスミドで形質転換された、乳酸菌株。
【請求項１２】
ラクトバチルス株である、請求項１１に記載の乳酸菌株。
【請求項１３】
ラクトバチルス・ロイテリ株である、請求項１２に記載の乳酸菌株。
【請求項１４】
請求項１１〜１３のいずれか１項に記載の乳酸菌株を含む、創傷被覆材。
【請求項１５】
請求項１１〜１３のいずれか１項に記載の乳酸菌株を含む、医薬組成物。
【請求項１６】
ヒトまたは動物の対象体における創傷治癒に用いるための医薬組成物であり、請求項１〜１０のいずれか１項に記載のプラスミドまたは請求項１１〜１３のいずれか１項に記載の乳酸菌株を含む医薬組成物。
【請求項１７】
ヒトまたは動物の対象体における皮膚創傷の治癒または粘膜創傷の治癒に用いるための医薬組成物であり、請求項１〜１０のいずれか１項に記載のプラスミドまたは請求項１１〜１３のいずれか１項に記載の乳酸菌株を含む医薬組成物。
【請求項１８】
創傷を治癒させるためのキットであって、該キットは、
（ｉ）請求項１〜１０のいずれか１項に記載の本発明のプラスミドを含有する乳酸菌であって、前記プラスミドは、乳酸菌において前記タンパク質を発現可能な誘導性プロモーターの制御下に、前記タンパク質をコードするヌクレオチド配列を含む、乳酸菌と、
（ｉｉ）前記プロモーターのための誘導物質と
を含む、キット。
【請求項１９】
医薬製品であって、創傷治癒における単独使用、順次使用、または同時使用のための組み合わせ製剤として、
（ｉ）請求項１〜１０のいずれか１項に記載のプラスミドを含有する乳酸菌であって、前記プラスミドは、乳酸菌において前記タンパク質を発現可能な誘導性プロモーターの制御下に、前記タンパク質をコードするヌクレオチド配列をふくむ、乳酸菌と、
（ｉｉ）前記プロモーターのための誘導物質と
を、含む、請求項１８に記載のキット。
【請求項２０】
請求項１１〜１３のいずれか１項に記載の乳酸菌株を含有する、医療器具。
【請求項２１】
前記乳酸菌は、凍結乾燥されている、請求項１８、または１９に記載のキット。
【請求項２２】
前記キットは、前記凍結乾燥した乳酸菌を再懸濁するための液体をさらに含む、請求項２１に記載のキット。
【請求項２３】
前記液体は、前記誘導物質を含有する、請求項２２に記載のキット。
【請求項２４】
前記キットは、前記乳酸菌を含有する創傷被覆材を含む、請求項１８、１９、または２１〜２３のいずれか１項に記載のキット。
【請求項２５】
前記キットは、創傷被覆材をさらに含む、請求項１８、１９、または２１〜２３のいずれか１項に記載のキット。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
取り外し可能な複数のカートリッジ処理ベイを備えたカートリッジ処理モジュールであって、
各カートリッジ処理ベイは、前記カートリッジ処理モジュールから自由に取り外し可能であり、取り外し可能な各カートリッジ処理ベイは、カートリッジ内に搭載され且つ前記取り外し可能な複数のカートリッジ処理ベイのうちの１つの中に挿入されたサンプル中の分析物を検出するように構成される、カートリッジ処理モジュール。
【請求項２】
取り外し可能な各カートリッジ処理ベイは、取り外し可能な他の複数のカートリッジ処理ベイのうちの１つ以上が前記カートリッジ処理モジュールから取り外された場合に、前記取り外し可能な他の複数のカートリッジ処理ベイとは独立に前記分析物を検出するように構成される、請求項１に記載のカートリッジ処理モジュール。
【請求項３】
前記取り外し可能な複数のカートリッジ処理ベイは、最も上に位置するカートリッジ処理ベイを有し、該最も上に位置するカートリッジ処理ベイは、そのすぐ下に位置する取り外し可能なカートリッジ処理ベイに対してずれている、請求項１に記載のカートリッジ処理モジュール。
【請求項４】
取り外し可能な各カートリッジ処理ベイは換気ダクトを備え、前記取り外し可能な複数のカートリッジ処理ベイの前記換気ダクトの長さは、最も下に位置する取り外し可能なカートリッジ処理ベイから最も上に位置する取り外し可能なカートリッジ処理ベイへ向かうに従って短くなる、請求項３に記載のカートリッジ処理モジュール。
【請求項５】
取り外し可能な各カートリッジ処理ベイは、カートリッジ処理アセンブリと、ブリスタ圧縮アセンブリとを備える、請求項１に記載のカートリッジ処理モジュール。
【請求項６】
前記取り外し可能な複数のカートリッジ処理ベイのうちの少なくとも１つは、該少なくとも１つの取り外し可能なカートリッジ処理ベイを部分的に包囲するフレームを備える、請求項１に記載のカートリッジ処理モジュール。
【請求項７】
前記取り外し可能な複数のカートリッジ処理ベイのうちの少なくとも１つは、該少なくとも１つの取り外し可能なカートリッジ処理ベイを前記カートリッジ処理モジュールの筐体内に固定するための構造要素を備える、請求項１に記載のカートリッジ処理モジュール。
【請求項８】
取り外し可能な各カートリッジ処理ベイは、前記取り外し可能な複数のカートリッジ処理ベイのうちの少なくとも１つと前記カートリッジ処理モジュールとの間の電子的通信を可能にするように構成された電気コネクタを備え、取り外し可能な各カートリッジ処理ベイは、前記取り外し可能なカートリッジ処理ベイと該取り外し可能なカートリッジ処理ベイ内に受容されるカートリッジとの間の電子的通信を可能にするように構成された電気コネクタを備え、前記取り外し可能なカートリッジ処理ベイと前記カートリッジ処理モジュールとの間の電子的通信を可能にするように構成された前記電気コネクタは第１の回路ボード上にあり、前記取り外し可能なカートリッジ処理ベイと前記カートリッジとの間の電子的通信を可能にするように構成された前記電気コネクタは第２の回路ボード上にあり、フレキシブルコネクタが前記第１及び第２の回路ボードを接続する、請求項１に記載のカートリッジ処理モジュール。
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
ブレーキテストスタンドであって、
少なくとも１つのトルク伝達装置（２）を介して負荷発生器（３）に連結された少なくとも１つの駆動モータ（１）と、
少なくとも１つのテスト対象のブレーキ（４）とを備え、
前記駆動モータ（１）は、前記テスト対象のブレーキ（４）により変換されるエネルギ、または、前記ブレーキ（４）により与えられるトルクを提供し、少なくとも前記ブレーキ（４）のテストよりも前に、前記負荷発生器（３）は、前記駆動モータ（１）により供給されたエネルギ、または、前記駆動モータにより与えられたトルクを受ける、ブレーキテストスタンド。
【請求項２】
前記テストスタンドはコントローラ（５）を備え、
前記コントローラ（５）は、
少なくとも１つのトルクセンサ（６，７）の信号に関する少なくとも１つの入力と、
その都度前記負荷発生器（３）を駆動するための出力とを含み、
前記コントローラ（５）に接続された前記駆動モータ（１）、および／または前記テスト対象のブレーキ（４）、および／または回転速度センサ（１９）が、前記テスト対象のブレーキ（４）に、または、前記駆動モータ（１）と前記テスト対象のブレーキ（４）との間でトルクを伝達する前記トルク伝達装置（２）に搭載され、および／または、前記コントローラ（５）は運転シミュレーションメモリ（１０）を有し、前記コントローラ（５）は、前記運転シミュレーションメモリ（１０）からの運転データに基づき、前記負荷発生器（３）の負荷トルクまたは消費電力、および、前記駆動モータ（１）の回転速度を調節し、および／または、前記運転シミュレーションメモリ（１０）は、データをインポートおよびエクスポートするためのデータインターフェイス（１８）を有することを特徴とする、請求項１に記載のブレーキテストスタンド。
【請求項３】
前記駆動モータ（１）は、少なくとも１つの直流電気モータ、少なくとも１つの交流電気モータ、少なくとも１つの内燃機関、少なくとも１つの油圧モータ、または少なくとも１つの空気圧モータにより形成され、および／または、前記駆動モータ（１）は、複数の部分的駆動モータから形成され、前記部分的駆動モータのトルクは、合計で前記テスト対象のブレーキ（４）に作用することを特徴とする、請求項１または２のいずれか１項に記載のブレーキテストスタンド。
【請求項４】
前記負荷発生器（３）は、少なくとも１つの渦電流ブレーキまたは少なくとも１つの発電機で構成され、および／または、前記負荷発生器（３）は複数の部分的負荷発生器から形成され、前記部分的負荷発生器の負荷トルクは合計で前記駆動モータ（１）に作用することを特徴とする、請求項１〜３のいずれか１項に記載のブレーキテストスタンド。
【請求項５】
前記テストスタンドは、前記テストの際に前記テスト対象のブレーキ（４）が収容される気候室（８）をさらに備え、および／または、前記気候室（８）は、前記テスト対象のブレーキ（４）に噴霧する噴霧器ヘッド（９）を有することを特徴とする、請求項１〜４のいずれか１項に記載のブレーキテストスタンド。
【請求項６】
少なくとも１つのブレーキ（４）をテストするための方法であって、
前記ブレーキ（４）をテストするために必要な前記エネルギ、または、前記ブレーキ（４）をテストするために必要なトルクが駆動モータ（１）により与えられ、少なくとも前記ブレーキ（４）のテストよりも前に、負荷発生器（３）がスイッチオンされ、前記駆動モータ（１）の駆動トルクと前記負荷発生器（３）の負荷トルクとの間のトルクバランスにより、前記必要なエネルギまたは前記必要なトルクが作られ、または与えられる、方法。
【請求項７】
前記ブレーキ（４）のテストよりも前に、前記負荷発生器（３）の負荷トルクは、傾斜（２０）に応じて経時的に前記コントローラ（５）により増加され、および／または、前記テストの際に、前記駆動モータ（１）により供給されたエネルギは前記ブレーキ（４）において変換され、前記負荷発生器（３）により発生した前記負荷トルクは、前記ブレーキ（４）のテストの際に減少されるか、またはスイッチオフされることを特徴とする、請求項６に記載の方法。
【請求項８】
前記ブレーキ（４）のテストの際に、前記駆動モータ（１）の回転速度および前記負荷発生器（３）の負荷トルクは、前記ブレーキ（４）におけるエネルギの変換に応じて前記コントローラ（５）により制御され、および／または、前記ブレーキ（４）のテストまで、前記駆動モータ（１）の回転速度は、前記駆動モータ（１）のすべての実効トルクで一定となるように前記コントローラ（５）により制御され、前記負荷発生器（３）および前記ブレーキ（４）は平衡に保たれることを特徴とする、請求項６または７のいずれか１項に記載の方法。
【請求項９】
前記ブレーキ（４）のテストの際に、前記テスト対象のブレーキ（４）の評価を可能にする制動性能に関するデータが、前記コントローラ（５）により処理され、運転シミュレーションメモリ（１０）により記録され、および／または、前記運転シミュレーションメモリ内には少なくとも１つの経路プロファイル情報が格納され、前記コントローラは、前記経路プロファイル情報に基づいて、前記テストの開始後のテスト段階において前記ブレーキに作用すべきトルクおよび回転速度の時間的推移を決定し、これらのパラメータは前記駆動モータに送信されることを特徴とする、請求項６〜８のいずれか１項に記載の方法。
【請求項１０】
請求項６〜９に記載の方法を実施するための、請求項１〜５に記載のテストスタンドの使用。
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
少なくとも（半）導電層内に密閉された電気導体の温度を感知するための温度感知装置であって、前記装置は、
主表面を有する基板と、前記基板の前記主表面上に配置されたトランスデューサと、前記トランスデューサに電気接続された１つ以上のセンサアンテナと、を含む表面弾性波（ＳＡＷ）温度センサであって、前記１つ以上のセンサアンテナは、電磁信号を受信又は送信するように構成されており、前記トランスデューサは、前記電磁信号と、前記基板の前記主表面上を伝搬するＳＡＷ信号との間の変換を行うように構成されている、表面弾性波（ＳＡＷ）温度センサ、を備え、
前記基板の少なくとも一部分が、前記電気導体と熱的に接触するように配置されており、前記ＳＡＷ信号が前記電気導体の前記温度によって変化する、温度感知装置。
【請求項２】
電気導体と、
前記電気導体を密閉する（半）導電層と、
請求項１に記載の温度感知装置と、を備える電気ケーブル組立体であって、
前記ＳＡＷ温度センサが前記電気導体と前記（半）導電層との間に配置されており、かつ、前記（半）導電層によって密閉されており、
前記（半）導電層が、前記電気導体によって送電される電力に対する電磁遮蔽を提供し、その一方で、前記１つ以上のセンサアンテナの前記電磁信号が前記（半）導電層を通過することを可能にするように構成されている、電気ケーブル組立体。
【請求項３】
少なくとも（半）導電層内に密閉された電気導体の温度を感知する方法であって、前記方法は、
表面弾性波（ＳＡＷ）温度センサを準備することであって、前記ＳＡＷ温度センサは、主表面を有する基板と、前記基板の前記主表面上に配置されたトランスデューサと、前記トランスデューサに電気接続された１つ以上のアンテナと、を含み、前記１つ以上のアンテナは、電磁信号を受信又は送信するように構成されており、前記トランスデューサは、前記電磁信号と、前記基板の前記主表面上を伝搬するＳＡＷ信号との間の変換を行うように構成されている、ことと、
前記基板の少なくとも一部分を、前記電気導体と熱的に接触するように配置することであって、前記ＳＡＷ信号は、前記電気導体の前記温度によって可変である、ことと、
前記ＳＡＷ温度センサの前記１つ以上のアンテナと電磁通信するように構成された送受信ユニットを準備することと、
前記送受信ユニットと前記１つ以上のアンテナとの間の前記電磁通信を介して、前記電気導体の前記温度によって可変である前記ＳＡＷ信号を検出することと、
検出された前記ＳＡＷ信号に基づいて電気伝送線の前記温度を決定することと、を含む方法。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
不均一メモリアーキテクチャを有するポータブルコンピューティングデバイス内のメモリを割り振るための方法であって、
第1のシステムオンチップ(SoC)上で実行されているプロセスから、仮想メモリページについての要求を受け取るステップであって、前記第1のSoCがチップ間インターフェースを介して第2のSoCに電気的に結合され、前記第1のSoCが第1の高性能バスを介して第1のローカル揮発性メモリデバイスに電気的に結合され、前記第2のSoCが第2の高性能バスを介して第2のローカル揮発性メモリデバイスに電気的に結合される、ステップと、
前記第1および第2のローカル揮発性メモリデバイス上の利用可能な物理ページの数が、前記第1および第2のローカル揮発性メモリデバイス間でメモリデータの複製を開始するための最小しきい値を超えるかどうかを決定するステップと、
前記最小しきい値を超える場合、前記第1のローカル揮発性メモリデバイス上の第1の物理アドレスおよび前記第2のローカル揮発性メモリデバイス上の第2の物理アドレスを単一の仮想ページアドレスに割り振るステップと
を含む、方法。
【請求項２】
前記第1および第2の物理アドレスを前記単一の仮想ページアドレスに割り振るステップが、ページテーブルエントリを変更するステップを含む、請求項1に記載の方法。
【請求項３】
前記ページテーブルエントリが、メモリデータが複製されるべきであることを示すtrue値に設定されたコピー属性と、前記第1の物理アドレスへの第1の物理ページインデックスと、レプリカアドレスを含んだ前記第2の物理アドレスへの第2の物理ページインデックスとを含む、請求項2に記載の方法。
【請求項４】
前記単一の仮想ページアドレスへの書込みトランザクションのさらなる要求を受け取るステップと、
前記ページテーブルエントリへのルックアップを実行するステップと、
前記コピー属性が前記true値に設定されている場合、前記レプリカアドレスを読み取り、前記データを前記レプリカアドレスにフラッシュするステップと
をさらに含む、請求項3に記載の方法。
【請求項５】
前記コピー属性がfalse値に設定されている場合、データをオリジナルアドレスにフラッシュするステップ
をさらに含む、請求項4に記載の方法。
【請求項６】
前記単一の仮想ページアドレスへの読取りトランザクションのさらなる要求を受け取るステップと、
前記ページテーブルエントリへのルックアップを実行するステップと、
前記コピー属性が前記true値に設定されている場合、前記レプリカアドレスを読み取り、オリジナルアドレスおよび前記レプリカアドレスのうちのより近い方からキャッシュフィルを実行するステップと
をさらに含む、請求項3に記載の方法。
【請求項７】
前記コピー属性がfalse値に設定されている場合、オリジナルアドレスからキャッシュフィルを実行するステップ
をさらに含む、請求項6に記載の方法。
【請求項８】
不均一メモリアーキテクチャを有するポータブルコンピューティングデバイス内のメモリを割り振るためのシステムであって、
第1のシステムオンチップ(SoC)上で実行されているプロセスから、仮想メモリページについての要求を受け取るための手段であって、前記第1のSoCがチップ間インターフェースを介して第2のSoCに電気的に結合され、前記第1のSoCが第1の高性能バスを介して第1のローカル揮発性メモリデバイスに電気的に結合され、前記第2のSoCが第2の高性能バスを介して第2のローカル揮発性メモリデバイスに電気的に結合される、手段と、
前記第1および第2のローカル揮発性メモリデバイス上の利用可能な物理ページの数が、前記第1および第2のローカル揮発性メモリデバイス間でメモリデータの複製を開始するための最小しきい値を超えるかどうかを決定するための手段と、
前記最小しきい値を超える場合、前記第1のローカル揮発性メモリデバイス上の第1の物理アドレスおよび前記第2のローカル揮発性メモリデバイス上の第2の物理アドレスを単一の仮想ページアドレスに割り振るための手段と
を含む、システム。
【請求項９】
前記第1および第2の物理アドレスを前記単一の仮想ページアドレスに割り振るための前記手段が、ページテーブルエントリを変更するための手段を含む、請求項8に記載のシステム。
【請求項１０】
前記ページテーブルエントリが、メモリデータが複製されるべきであることを示すtrue値に設定されたコピー属性と、前記第1の物理アドレスへの第1の物理ページインデックスと、レプリカアドレスを含んだ前記第2の物理アドレスへの第2の物理ページインデックスとを含む、請求項9に記載のシステム。
【請求項１１】
前記単一の仮想ページアドレスへの書込みトランザクションのさらなる要求を受け取るための手段と、
前記ページテーブルエントリへのルックアップを実行するための手段と、
前記コピー属性が前記true値に設定されている場合、前記レプリカアドレスを読み取り、前記データを前記レプリカアドレスにフラッシュするための手段と
をさらに含む、請求項10に記載のシステム。
【請求項１２】
前記コピー属性がfalse値に設定されている場合、データをオリジナルアドレスにフラッシュするための手段
をさらに含む、請求項11に記載のシステム。
【請求項１３】
前記単一の仮想ページアドレスへの読取りトランザクションのさらなる要求を受け取るための手段と、
前記ページテーブルエントリへのルックアップを実行するための手段と、
前記コピー属性が前記true値に設定されている場合、前記レプリカアドレスを読み取り、オリジナルアドレスおよび前記レプリカアドレスのうちのより近い方からキャッシュフィルを実行するための手段と
をさらに含む、請求項10に記載のシステム。
【請求項１４】
前記コピー属性がfalse値に設定されている場合、オリジナルアドレスからキャッシュフィルを実行するための手段
をさらに含む、請求項13に記載のシステム。
【請求項１５】
不均一メモリアーキテクチャでメモリを割り振るためにプロセッサによって実行可能であるコンピュータプログラムであって、請求項１から7のいずれか一項に記載の方法を実行するように構成された論理を含むコンピュータプログラム。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ユーザーが空間とインタラクトするときに前記ユーザーにオーディオ情報を提示するよう構成されているヘッドセットと、
１つ以上の処理デバイスと、
を備えるシステムであって、
前記ヘッドセットは、前記ユーザーから、前記１つ以上の処理デバイスによって実行されるそれぞれの空間インタラクション関連機能を呼び出すコマンドを受信するよう構成されている入力機構のセットを有し、
前記１つ以上の処理デバイスは、
前記ユーザーから受信された特定のコマンドによって命令されたときに、探索モードに入り、
前記探索モードにある間、
前記ヘッドセットの向きを特定し、
前記ヘッドセットの前記向きに少なくとも基づいて、前記ユーザーの注意が現在向けられている部分空間を特定し、
前記ユーザーの注意が現在向けられている前記部分空間内の特定の関心項目を特定し、
前記ヘッドセットに、前記特定の関心項目についての対応する音を生成させ、
前記ユーザーから受信された別の特定のコマンドによって命令されたときに、オリエンテーションモードに入り、
前記オリエンテーションモードにある間、
前記ユーザーの注意が現在向けられている前記部分空間外の垂直方向に配されている関心項目を特定し、
前記垂直方向に配されている関心項目の間の垂直方向の関係に少なくとも基づいて、前記垂直方向に配されている関心項目をアナウンスする特定の順序を決定し、
前記ヘッドセットに、前記垂直方向に配されている関心項目についての他の対応する音を前記特定の順序で生成させる
よう構成されている、システム。
【請求項２】
前記ヘッドセットは、骨伝導機構を使用して、前記ユーザーに前記オーディオ情報を配信する、請求項１に記載のシステム。
【請求項３】
前記１つ以上の処理デバイスは、
リスニングモードを開始するように前記システムに命令するさらなるコマンドを受信し、
前記さらなるコマンドに応答して、前記リスニングモードに入り、
前記リスニングモードにある間、前記ユーザーによって話された命令を受信して該命令に従う
よう構成されている、請求項１に記載のシステム。
【請求項４】
前記１つ以上の処理デバイスは、
前記オーディオ情報の配信を停止するように前記システムに命令するさらなるコマンドを受信し、
前記さらなるコマンドに応答して、前記オーディオ情報の配信を停止する
よう構成されている、請求項１に記載のシステム。
【請求項５】
前記１つ以上の処理デバイスは、
オーディオ情報の１つ以上の以前に配信された項目を繰り返すように前記システムに命令するさらなるコマンドを受信し、
前記さらなるコマンドに応答して、前記オーディオ情報の１つ以上の以前に配信された項目を繰り返す
よう構成されている、請求項１に記載のシステム。
【請求項６】
前記垂直方向に配されている関心項目は、ビルディングの異なるフロアに存在する、請求項１に記載のシステム。
【請求項７】
前記１つ以上の処理デバイスは、
前記垂直方向に配されている関心項目が、フロアごとにアナウンスされることを指定する
よう構成されている、請求項６に記載のシステム。
【請求項８】
前記１つ以上の処理デバイスは、
前記垂直方向に配されている関心項目が、垂直方向において最も低い関心項目で始まって次第に高い方の関心項目へと移る順序で、アナウンスされることを指定する
よう構成されている、請求項１に記載のシステム。
【請求項９】
ユーザーによって装着されているヘッドセットの向きを特定するステップと、
前記ヘッドセットの前記向きに少なくとも基づいて、前記ユーザーにとって関心のある検索ボリュームを特定するステップと、
前記ヘッドセットを介して、前記ユーザーにとって関心のある前記検索ボリューム内に存在する少なくとも２つの異なる関心項目を特定するオーディオ情報を配信するステップと、
前記検索ボリューム外の垂直方向に配されている関心項目を特定するステップと、
前記垂直方向に配されている関心項目の間の垂直方向の関係に少なくとも基づいて、前記垂直方向に配されている関心項目をアナウンスする特定の順序を決定するステップと、
前記ヘッドセットを介して、前記垂直方向に配されている関心項目を特定する他のオーディオ情報を前記特定の順序で配信するステップと、
を含む、方法。
【請求項１０】
オーディオ出力機構を有するウェアラブルデバイスと、
処理デバイスと、
ロジックであって、前記ロジックが、前記処理デバイスによって実行されたときに、前記ロジックは、前記処理デバイスに、
前記ウェアラブルデバイスの向きを判定する動作と、
前記ウェアラブルデバイスの前記向きに少なくとも基づいて、前記ウェアラブルデバイスの周りの検索ボリュームを特定する動作と、
前記検索ボリューム内に存在する関心項目を特定する動作と、
前記ウェアラブルデバイスの前記オーディオ出力機構に、前記関心項目が前記検索ボリューム内に存在することを示す音を出力させる動作と、
前記検索ボリューム外の垂直方向に配されている関心項目を特定する動作と、
前記垂直方向に配置されている関心項目の間の垂直方向の関係に少なくとも基づいて、前記垂直方向に配されている関心項目をアナウンスする特定の順序を決定する動作と、
前記ウェアラブルデバイスの前記オーディオ出力機構に、前記垂直方向に配されている関心項目を特定する他の音を前記特定の順序で出力させる動作と、
を実行させるロジックと、
を備えるシステム。